(57)【要約】【課題】自発光表示パネルの表示画像の輝度の局所的な変動を抑制する。【解決手段】表示ドライバが、自発光表示パネルの表示素子を駆動する駆動回路部と、第１フレーム期間において、前記自発光表示パネルの表示エリアの端に逐次に挿入される複数の非発光エリアを、所定方向に逐次に移動するように、かつ、前記複数の非発光エリアの前記所定方向における幅を、段階的に変化させるように、前記自発光表示パネルを制御する制御信号を生成するエミッション制御回路部とを備えている。【選択図】図４
2020144249.tif 000002
【特許請求の範囲】
【請求項１】
自発光表示パネルの表示素子を駆動する駆動回路部と、
第１フレーム期間において、前記自発光表示パネルの表示エリアの端に逐次に挿入される複数の非発光エリアを、所定方向に逐次に移動するように、かつ、前記複数の非発光エリアの前記所定方向における幅を、段階的に変化させるように、前記自発光表示パネルを制御する制御信号を生成するエミッション制御回路部
とを備える、
表示ドライバ。
【請求項２】
前記エミッション制御回路部が、前記第１フレーム期間よりも前の第２フレーム期間において前記表示エリアの端に挿入される非発光エリアの幅が第１幅であり、前記第１フレーム期間よりも後の第３フレーム期間において前記表示エリアの端に挿入される非発光エリアの幅が前記第１幅と異なる第２幅であるように前記制御信号を生成する
請求項１に記載の表示ドライバ。
【請求項３】
前記エミッション制御回路部が、前記第１フレーム期間において挿入される前記複数の非発光エリアの幅を、前記第２幅に段階的に近づくように変更するように前記制御信号を生成する
請求項２に記載の表示ドライバ。
【請求項４】
前記制御信号が、前記非発光エリアの幅に応じたエミッションパルス幅を有するエミッションパルスが現れるエミッションパルス信号を備えており、
前記エミッション制御回路部が、前記エミッションパルス幅を前記第１フレーム期間内において段階的に変更可能に構成された
請求項１に記載の表示ドライバ。
【請求項５】
更に、
前記エミッション制御回路部が、前記第１フレーム期間よりも前の第２フレーム期間において前記エミッションパルス幅が第１パルス幅であり、前記第１フレーム期間よりも後の第３フレーム期間において前記エミッションパルス幅が前記第１パルス幅と異なる第２パルス幅であるように前記エミッションパルス信号を生成するように構成された
請求項４に記載の表示ドライバ。
【請求項６】
前記エミッション制御回路部が、前記第１フレーム期間において前記エミッションパルス幅が前記第２パルス幅に段階的に近づくように、前記エミッションパルス信号を生成するように構成された
請求項５に記載の表示ドライバ。
【請求項７】
前記第３フレーム期間が、前記第１フレーム期間の次のフレーム期間である
請求項６に記載の表示ドライバ。
【請求項８】
前記エミッション制御回路部が、前記第１フレーム期間と前記第３フレーム期間の間の第４フレーム期間において、前記エミッションパルス幅が前記第２パルス幅に段階的に近づくように、前記エミッションパルス信号を生成する
請求項６に記載の表示ドライバ。
【請求項９】
前記第１フレーム期間における前記エミッションパルスの数が、前記第２フレーム期間における前記エミッションパルスの数と異なっており、
前記エミッション制御回路部が、前記第１フレーム期間において、前記第１フレーム期間における前記エミッションパルスの数に基づいて決定された変更量ずつ前記エミッションパルス幅を段階的に変更しながら前記エミッションパルス信号を生成するように構成された
請求項５乃至８のいずれか１項に記載の表示ドライバ。
【請求項１０】
更に、前記第２フレーム期間における前記エミッションパルスの第１合計エミッションパルス幅と、前記第３フレーム期間における前記エミッションパルスの第２合計エミッションパルス幅とに基づいて、前記第１フレーム期間の最初のエミッションパルスのエミッションパルス幅を決定し、前記第１合計エミッションパルス幅と前記第２合計エミッションパルス幅と前記第１フレーム期間における前記エミッションパルスの数に基づいて前記変更量を決定するエミッションパルス幅制御回路部を備える
請求項９に記載の表示ドライバ。
【請求項１１】
自発光表示パネルと、
第１フレーム期間において、前記自発光表示パネルの表示エリアの端に逐次に挿入される非発光エリアを、所定方向に逐次に移動するように、かつ、前記複数の非発光エリアの前記所定方向における幅を、段階的に変化させるように、前記自発光表示パネルを制御する制御信号を生成するエミッション制御回路部
とを備える、
表示装置。
【請求項１２】
前記エミッション制御回路部が、前記第１フレーム期間よりも前の第２フレーム期間において前記表示エリアの端に挿入される非発光エリアの幅が第１幅であり、前記第１フレーム期間よりも後の第３フレーム期間において前記表示エリアの端に挿入される非発光エリアの幅が前記第１幅と異なる第２幅であるように前記制御信号を生成する
請求項１１に記載の表示装置。
【請求項１３】
前記制御信号が、前記非発光エリアの幅に応じたエミッションパルス幅を有するエミッションパルスが現れるエミッションパルス信号を備えており、
前記エミッション制御回路部が、前記エミッションパルス幅を前記第１フレーム期間内において段階的に変更可能に構成された
請求項１１に記載の表示装置。
【請求項１４】
更に、
前記エミッション制御回路部が、前記第１フレーム期間よりも前の第２フレーム期間において前記エミッションパルス幅が第１パルス幅であり、前記第１フレーム期間よりも後の第３フレーム期間において前記エミッションパルス幅が前記第１パルス幅と異なる第２パルス幅であるように前記エミッションパルス信号を生成するように構成された
請求項１３に記載の表示装置。
【請求項１５】
前記エミッション制御回路部が、前記第１フレーム期間において前記エミッションパルス幅が前記第２パルス幅に段階的に近づくように、前記エミッションパルス信号を生成するように構成された
請求項１４に記載の表示装置。
【請求項１６】
前記第１フレーム期間における前記エミッションパルスの数が、前記第２フレーム期間における前記エミッションパルスの数と異なっており、
前記エミッション制御回路部が、前記第１フレーム期間において、前記第１フレーム期間における前記エミッションパルスの数に基づいて決定された変更量ずつ前記エミッションパルス幅を段階的に変更しながら前記エミッションパルス信号を生成するように構成された
請求項１５に記載の表示装置。
【請求項１７】
第１フレーム期間において、自発光表示パネルの表示エリアの端に逐次に挿入される非発光エリアの所定方向における幅を、段階的に変更することと、
挿入された前記非発光エリアを前記所定方向に逐次に移動させること
とを含む
自発光表示パネルの制御方法。
【請求項１８】
前記非発光エリアの前記幅に応じたエミッションパルス幅を有するエミッションパルスが現れるエミッションパルス信号を前記自発光表示パネルに供給することを更に含み、
前記エミッションパルス信号を前記自発光表示パネルに供給することは、前記エミッションパルス幅を前記第１フレーム期間内において段階的に変更することを含む
請求項１７に記載の自発光表示パネルの制御方法。
【請求項１９】
前記エミッションパルス信号を前記自発光表示パネルに供給することは、更に、
前記第１フレーム期間よりも前の第２フレーム期間において前記エミッションパルス幅が第１パルス幅であるように前記エミッションパルス信号を供給することと、
前記第１フレーム期間よりも後の第３フレーム期間において前記エミッションパルス幅が前記第１パルス幅と異なる第２パルス幅であるように前記エミッションパルス信号を供給すること
とを含む
請求項１８に記載の自発光表示パネルの制御方法。
【請求項２０】
前記エミッションパルス幅を前記第１フレーム期間内において段階的に変更することは、
前記第１フレーム期間において前記エミッションパルス幅が前記第２パルス幅に段階的に近づくように、前記エミッションパルス信号を生成することを含む
請求項１９に記載の自発光表示パネルの制御方法。
【発明の詳細な説明】
【技術分野】
【０００１】
本開示は、表示ドライバ、表示装置及び自発光表示パネルの制御方法に関する。
【背景技術】
【０００２】
ＯＬＥＤ（organic light emitting diode）表示パネルのような自発光表示パネルのディスプレイ輝度レベルは、自発光表示パネルに挿入される非発光エリアの幅によって制御されることがある。非発光エリアの幅の割合は、エミッションパルス幅によって制御されることがあり、このような場合、エミッションパルス幅は、所望のディスプレイ輝度レベルを実現するように制御される。
【発明の概要】
【０００３】
一の実施形態では、表示ドライバが、自発光表示パネルの表示素子を駆動する駆動回路部と、第１フレーム期間において、前記自発光表示パネルの表示エリアの端に逐次に挿入される複数の非発光エリアを、所定方向に逐次に移動するように、かつ、前記複数の非発光エリアの前記所定方向における幅を、段階的に変化させるように、前記自発光表示パネルを制御する制御信号を生成するエミッション制御回路部とを備えている。
【０００４】
一実施形態では、表示装置が、自発光表示パネルと、第１フレーム期間において、前記自発光表示パネルの表示エリアの端に逐次に挿入される非発光エリアを、所定方向に逐次に移動するように、かつ、前記複数の非発光エリアの前記所定方向における幅を、段階的に変化させるように、前記自発光表示パネルを制御する制御信号を生成するエミッション制御回路部とを備えている。
【０００５】
一実施形態では、自発光表示パネルの制御方法が、第１フレーム期間において、自発光表示パネルの表示エリアの端に逐次に挿入される非発光エリアの所定方向における幅を、段階的に変更することと、挿入された前記非発光エリアを前記所定方向に逐次に移動させることとを含む。
【図面の簡単な説明】
【０００６】
【図１】一実施形態における表示装置の構成を示している。
【図２】一実施形態における表示素子の構成を示している。
【図３】一実施形態における表示装置の動作を示している。
【図４】一実施形態における表示装置の動作を示している。
【図５】一実施形態における表示装置の動作を示している。
【図６】一実施形態における表示装置の動作を示している。
【図７】一実施形態におけるエミッションパルス幅制御回路部の構成を示している。
【図８】一実施形態におけるエミッションパルス幅制御回路部の動作を示している。
【発明を実施するための形態】
【０００７】
一実施形態では、図１に示すように、表示装置１００が、自発光表示パネル１と表示ドライバ２とを備えている。一実施形態では、表示装置１００が、ホスト３から受け取った画像データ４及び制御データ５に基づいて画像を自発光表示パネル１に表示するように構成されている。一実施形態では、自発光表示パネル１としてＯＬＥＤ（organic light emitting diode）表示パネルが用いられる。
【０００８】
一実施形態では、自発光表示パネル１が、表示エリア６と、ＧＩＰ（gate-in-panel）回路部７とを備えている。一実施形態では、表示エリア６は、画像データ４に対応する画像が表示されるエリアであり、表示素子８と、ソースラインＳ［０］〜Ｓ［ｍ］と、ゲートラインＧ［０］〜Ｇ［ｎ］と、エミッションラインＥＭ［０］〜ＥＭ［ｎ］とが配置される。一実施形態では、各表示素子８は、対応するゲートラインＧ［ｉ］、エミッションラインＥＭ［ｉ］及びソースラインＳ［ｊ］に接続される。
【０００９】
一実施形態では、画像データ４によって指定された階調値に対応する駆動電圧が、各表示素子８に、対応するソースラインＳ［ｊ］を介して表示ドライバ２から書き込まれる。一実施形態では、各表示素子８が、書き込まれた駆動電圧に対応する輝度で発光するように構成されている。各行の表示素子８の発光は、それが接続されたエミッションラインＥＭ［ｉ］によって制御される。各行の表示素子８は、それらが接続されているエミッションラインＥＭ［ｉ］がアサートされると発光し、ディアサートされると発光を停止する。各表示素子８への駆動電圧の書き込みは、それが接続されたゲートラインＧ［ｉ］によって制御される。ゲートラインＧ［ｉ］及びソースラインＳ［ｊ］に接続された表示素子８に駆動電圧を書き込む場合、所望の駆動電圧がソースラインＳ［ｊ］に生成された状態で、ゲートラインＧ［ｉ］がアサートされる。
【００１０】
図２は、ゲートラインＧ［ｉ］、エミッションラインＥＭ［ｉ］及びソースラインＳ［ｊ］に接続された表示素子８の構成の一例を示している。一実施形態では、表示素子８は、駆動トランジスタＴ１と、選択トランジスタＴ２と、閾値補償トランジスタＴ３と、リセットトランジスタＴ４と、選択トランジスタＴ５、Ｔ６と、保持キャパシタＣ１と、発光素子８ａとを備えている。一実施形態では、トランジスタＴ１〜Ｔ６は、いずれもＰＭＯＳトランジスタとして構成される。一実施形態では、発光素子８ａとしてＯＬＥＤ素子が用いられる。一実施形態では、表示素子８は、駆動電圧が書き込まれると、駆動電圧に対応する保持電圧を保持キャパシタＣ１で保持する。一実施形態では、表示素子８の駆動トランジスタＴ１のゲート−ソース間電圧が、保持キャパシタＣ１の保持電圧に対応する電圧に維持される。一実施形態では、エミッションラインＥＭ［ｉ］がアサートされると、駆動トランジスタＴ１のゲート−ソース間電圧に対応する駆動電流が発光素子８ａに供給され、発光素子８ａは、該駆動電流に対応する輝度で発光する。
【００１１】
一実施形態では、ゲートラインＧ［ｉ−１］が、駆動電圧の書き込みの前に、キャパシタＣ１をプリチャージするために用いられる。一実施形態では、駆動トランジスタＴ１がゲートラインＧ［０］に接続された表示素子８のプリチャージのために、ゲートラインＧ［−１］が自発光表示パネル１に設けられる。表示素子８の構成は、図２に示すものに限定されず、様々なバリエーションがあり得る。
【００１２】
図１に戻り、一実施形態では、ＧＩＰ回路部７は、表示ドライバ２から受け取ったＧＩＰ制御信号２１に基づいてゲートラインＧ［−１］〜Ｇ［ｎ］とエミッションラインＥＭ［０］〜ＥＭ［ｎ］とを駆動する。一実施形態では、ＧＩＰ制御信号２１が、各行の表示素子８が発光する期間を制御するエミッションパルス信号２２と、エミッションクロック信号２３とを含む。一実施形態では、エミッションパルス信号２２が所定の周期で繰り返してアサート及びディアサートされ、これにより、エミッションパルスがエミッションパルス信号２２に現れる。一実施形態では、エミッションパルスがエミッションラインＥＭ［０］〜ＥＭ［ｎ］の制御に用いられる。
【００１３】
一実施形態では、図３に示すように、ＧＩＰ回路部７は、エミッションパルス信号２２によって伝送されるエミッションパルスのパルス幅に応じて各行の表示素子８の発光を制御する。以下では、エミッションパルスのパルス幅を、単に、エミッションパルス幅ということがある。一実施形態では、エミッションパルス信号２２の各周期においてエミッションパルスがアサートされている時間が、エミッションパルス幅である。一実施形態では、エミッションパルス信号２２がローアクティブであり、各周期においてエミッションパルスがローレベルに設定されている時間がエミッションパルス幅である。一実施形態では、１フレーム期間に複数のエミッションパルス、図３の動作では４つのエミッションパルスがエミッションパルス信号２２に現れる。
【００１４】
一実施形態では、表示素子８が発光しない非発光エリア１０が、エミッションパルス信号２２に基づいて表示エリア６の端に挿入される。非発光エリア１０では、黒表示が行われる。一実施形態では、エミッションパルス信号２２がディアサートされている間、例えばハイレベルに設定されている間、非発光エリア１０が逐次に表示エリア６の端に挿入される。一実施形態では、エミッションパルス信号２２がディアサートされている間、例えばハイレベルに設定されているときに表示エリア６の端の所定数のエミッションラインＥＭがディアサートされ、これにより、非発光エリア１０が逐次に表示エリア６の端に挿入される。一実施形態では、エミッションパルス信号２２がアサートされている間、例えばローレベルに設定されている間、非発光エリア１０は挿入されず、表示エリア６の端の表示素子８の行が発光する。
【００１５】
一実施形態では、非発光エリア１０が、ソースラインＳ［０］〜Ｓ［ｍ］が延伸する方向に、エミッションクロック信号２３に同期して逐次に移動する。一実施形態では、ディアサートされるエミッションラインＥＭを、ソースラインＳ［０］〜Ｓ［ｍ］が延伸する方向にエミッションクロック信号２３に同期してシフトすることで、非発光エリア１０が移動される。一実施形態では、ＧＩＰ回路部７が、出力がエミッションラインＥＭ［０］〜ＥＭ［ｎ］にそれぞれに接続された、図示しないシフトレジスタを備えており、該シフトレジスタがエミッションクロック信号２３に同期してシフト動作を行う。一実施形態では、該シフトレジスタのシフト動作により、ディアサートされるエミッションラインＥＭのシフトが行われる。
【００１６】
一実施形態では、エミッションパルス信号２２がディアサートされている期間が長くなると、非発光エリア１０が挿入される期間が長くなり、非発光エリア１０の自発光表示パネル１のソースラインＳ［０］〜Ｓ［ｍ］が延伸する方向における幅が広くなる。一実施形態では、非発光エリア１０の幅が広くなると、表示エリア６のうち、非発光エリア１０が占める割合が大きくなり、表示エリア６に設けられた全表示素子８のうち発光する表示素子８の割合が少なくなる。一実施形態では、非発光エリア１０の幅が狭くなると、非発光エリア１０が占める割合が小さくなり、表示エリア６に設けられた全表示素子８のうち発光する表示素子８の割合が多くなる。
【００１７】
一実施形態では、自発光表示パネル１のディスプレイ輝度レベル、即ち、自発光表示パネル１に表示される画像全体の輝度レベルが、表示エリア６に設けられた全表示素子８のうち発光する表示素子８の割合によって制御される。一実施形態では、非発光エリア１０の幅がエミッションパルス幅に基づいて制御され、これにより、全表示素子８のうち発光する表示素子８の割合が制御される。一実施形態では、エミッションパルス幅が最小に設定されることで非発光エリア１０の幅が最大に設定されると、自発光表示パネル１のディスプレイ輝度レベルは最低輝度レベルになる。一実施形態では、エミッションパルス幅が最大に設定されることで非発光エリア１０の幅が最小に設定されると、自発光表示パネル１のディスプレイ輝度レベルは最高輝度レベルになる。
【００１８】
図１に戻り、一実施形態では、表示ドライバ２が、命令制御回路部１１と、画像処理回路部１２と、ソースドライバ回路部１３と、パネルインターフェース回路部１４とを備えている。
【００１９】
一実施形態では、命令制御回路部１１は、ホスト３から受け取った画像データ４を画像処理回路部１２に転送し、更に、制御データ５に基づいて表示ドライバ２の全体動作を制御する。一実施形態では、制御データ５は、コマンド（命令）を含んでおり、該コマンドに基づいて表示ドライバ２の全体動作を制御する。
【００２０】
一実施形態では、命令制御回路部１１は、エミッションパルス幅制御回路部１５を備えている。一実施形態では、命令制御回路部１１は、制御データ５に基づいて自発光表示パネル１のディスプレイ輝度レベルを指定する輝度指令値を生成し、エミッションパルス幅制御回路部１５が、生成された輝度指令値に応じてエミッションパルス幅を決定し、決定したエミッションパルス幅を示すエミッションパルス幅指令値をパネルインターフェース回路部１４に送信する。一実施形態では、エミッションパルス幅は、輝度指令値に比例して増大するように決定される。一実施形態では、制御データ５がディスプレイ輝度レベルを設定する輝度レベル設定コマンドを含んでおり、エミッションパルス幅制御回路部１５が、輝度レベル設定コマンドに指定されているＤＢＶ（display brightness value）に基づいて輝度指令値を生成する。このような実施形態では、ＤＢＶに基づくディスプレイ輝度レベルの制御が実現される。
【００２１】
一実施形態では、画像処理回路部１２は、命令制御回路部１１から受け取った画像データ４に対して所望の画像処理を行い、画像処理後画像データ１６を生成する。一実施形態では、画像処理回路部１２が、生成した画像処理後画像データ１６をソースドライバ回路部１３に供給する。
【００２２】
一実施形態では、ソースドライバ回路部１３は、画像処理回路部１２から受け取った画像処理後画像データ１６に基づいて自発光表示パネル１の各表示素子８に駆動電圧を書き込む。一実施形態では、ソースドライバ回路部１３は、画像処理後画像データ１６に対してデジタル−アナログ変換を行って駆動電圧を生成し、生成した駆動電圧を対応する表示素子８に書き込む。
【００２３】
一実施形態では、パネルインターフェース回路部１４は、自発光表示パネル１のＧＩＰ回路部７に供給するＧＩＰ制御信号２１を生成する。一実施形態では、パネルインターフェース回路部１４が、上述のエミッションパルス信号２２とエミッションクロック信号２３とを生成するエミッション制御回路部１７を備えている。一実施形態では、エミッション制御回路部１７は、命令制御回路部１１から受け取ったエミッションパルス幅指令値に基づいてエミッションパルス信号２２を生成する。一実施形態では、エミッション制御回路部１７は、エミッションパルス信号２２に現れる複数のエミッションパルスのパルス幅をエミッションパルス幅指令値に応じて制御する。
【００２４】
一実施形態では、エミッション制御回路部１７は、自発光表示パネル１のディスプレイ輝度レベルを変更するために、エミッションパルス幅を変更する。一実施形態では、エミッションパルス幅の変更は、命令制御回路部１１において生成される輝度指令値の変更に応じて行われる。一実施形態では、エミッションパルス幅が変更されると、表示エリア６の端に挿入される非発光エリア１０の幅が変更される。一実施形態では、非発光エリア１０の幅が変更されると、全表示素子８のうちの発光する表示素子８の割合が変化し、その結果、ディスプレイ輝度レベルが変更される。エミッションパルス幅を適正に変更することで、ディスプレイ輝度レベルを所望の輝度レベルに変更することができる。
【００２５】
一実施形態では、図４に示すように、一フレーム期間内において、複数のエミッションパルス幅が段階的に変更され、これにより、表示エリア６の端に挿入される非発光エリア１０の幅が段階的に変更される。一実施形態では、フレーム期間＃１において、エミッションパルス幅が第１パルス幅（例えば５０％）に設定され、フレーム期間＃２において、エミッションパルス幅が、第１パルス幅から目標の第２パルス幅（例えば９０％）に近づくように、段階的に増加されるように制御される。そして、フレーム期間＃３において、第２パルス幅となる。一実施形態では、フレーム期間＃２において、一定の間隔で、例えば５０％、６０％、７０％、８０％というように１０％ずつ、パルス幅が段階的に変更される。別の一実施形態では、非一定の間隔で、例えば増加率が徐々に増えるように、パルス幅が段階的に変更される。他の実施形態では、フレーム期間＃２の最初のエミッションパルス幅から、例えば６０％に増加される。さらに別の一実施形態では、フレーム期間＃２の最後のエミッションパルス幅が第２パルス幅に到達するように制御される。１フレーム期間のパルス幅の数は４に限定されない。なお、図示のエミッションパルス幅は、許容最大パルス幅に対する比率である。
【００２６】
このようなエミッションパルス幅制御の結果、フレーム期間＃１においては、非発光エリア１０の幅が、第１パルス幅に応じた第１幅になり、フレーム期間＃３においては、非発光エリア１０の幅が、第２パルス幅に応じた第２幅になる。また、これらフレーム期間＃１、＃３の間のフレーム期間＃２においては、表示エリア６の端に挿入される非発光エリア１０の幅が、第２幅に段階的に近づくように変更される。これにより、速やかにディスプレイ輝度レベルを所望の輝度レベルに設定可能であり、かつ、表示画像の輝度の局所的な変動が効果的に抑制される。局所的輝度急変が原因でユーザに認識され得るフリッカも抑止され、ユーザにとってより滑らかな画像表示が実現できる。
【００２７】
図５に示すように、一実施形態では、複数のフレーム期間に渡り、複数のフレーム期間のそれぞれにおいて複数のエミッションパルス幅が段階的に変更され、これにより表示エリア６の端に挿入される非発光エリア１０の幅が段階的に変更される。一実施形態では、フレーム期間＃１においてエミッションパルス幅が第１パルス幅、例えば１０％に設定され、フレーム期間＃２、＃３において第１パルス幅から目標の第２パルス幅（例えば９０％）に近づくように、段階的に増加されるように制御される。そして、フレーム期間＃４においてエミッションパルス幅が第２パルス幅となる。一実施形態では、フレーム期間＃２、＃３において、一定の間隔で、例えば、１０％、２０％、３０％、４０％、５０％、６０％、７０％、８０％というように１０％ずつ、パルス幅が段階的に変更される。別の一実施形態では、非一定の間隔で、例えば増加率が徐々に増えるように、パルス幅が段階的に変更される。
【００２８】
このようなエミッションパルス幅制御の結果、フレーム期間＃１においては、非発光エリア１０の幅が、第１パルス幅に応じた第１幅になり、フレーム期間＃４においては、非発光エリア１０の幅が、第２パルス幅に応じた第２幅になる。また、これらフレーム期間＃１、＃４の間のフレーム期間＃２、＃３においては、表示エリア６の端に挿入される非発光エリア１０の幅が、第２幅に段階的に近づくように変更される。これにより、ディスプレイ輝度レベルを大きく変化させる場合でも表示画像の輝度の局所的な変動が抑制される。
【００２９】
一実施形態では、図６に示すように、エミッションパルス幅が変更されるときに１フレーム期間におけるエミッションパルスの数も変更される。一実施形態では、フレーム期間＃１において、エミッションパルスの数が２であり、許容最大パルス幅に対するエミッションパルス幅の比率が５０％である。続くフレーム期間＃２において、エミッションパルスの数が４に変更され、許容最大パルス幅に対するエミッションパルス幅の比率が、目標のエミッションパルス幅の比率（例えば９０％）に近づくように、段階的に増加されるように制御される。そして、フレーム期間＃３において、エミッションパルスの数が４となり、許容最大パルス幅に対するエミッションパルス幅の比率が目標の比率となる。
【００３０】
図６では、エミッションパルス幅が、許容最大パルス幅に対するエミッションパルス幅の比率として示されていることに留意されたい。許容最大パルス幅は１フレーム期間におけるエミッションパルスの数に依存するので、一実施形態では、許容最大パルス幅に対するエミッションパルス幅の比率が同じであっても、エミッションパルス幅は、１フレーム期間におけるエミッションパルスの数に依存して異なる。
【００３１】
一実施形態では、図７に示すように、エミッションパルス幅制御回路部１５が、エミッションパルス幅と１フレーム期間におけるエミッションパルスの数とが変更されるときに、一フレーム期間内におけるエミッションパルスの数に基づいてエミッションパルス幅を算出するように構成される。一実施形態では、エミッションパルス幅制御回路部１５が、除算器３１と、減算器３２と、二乗回路３３と、除算器３４と、カウンタ３５と、乗算器３６と、加算器３７とを備えている。
【００３２】
一実施形態では、除算器３１は、現在の合計エミッションパルス幅EM_Total_Currentを、変更後の一フレーム期間におけるエミッションパルスの数EM_Numberで除算してエミッションパルス幅オフセットEM_Offsetを算出する。一実施形態では、合計エミッションパルス幅は、１フレーム期間におけるエミッションパルス幅の合計である。一実施形態では、エミッションパルス幅オフセットEM_Offsetは、エミッションパルス幅を段階的に変更するフレーム期間における最初のエミッションパルスのエミッションパルス幅を指定する。
【００３３】
一実施形態では、減算器３２は、変更後の合計エミッションパルス幅EM_Total_Nextから現在の合計エミッションパルス幅EM_Total_Currentを減じた差を計算する。一実施形態では、二乗回路３３は、変更後の一フレーム期間におけるエミッションパルスの数EM_Numberの２乗を算出する。
【００３４】
一実施形態では、除算器３４は、減算器３２からの出力値を二乗回路３３からの出力値で除算して、エミッションパルス幅を段階的に変更するときの変更量EM_Stepを算出する。このような実施形態では、変更量EM_Stepは、変更後の合計エミッションパルス幅EM_Total_Nextから現在の合計エミッションパルス幅EM_Total_Currentを減じた差をエミッションパルスの数EM_Numberの２乗で除算することで得られる。
【００３５】
カウンタ３５は、エミッションパルス信号に現れるエミッションパルスをカウントし、カウント値CNTを出力する。乗算器３６は、変更量EM_Stepとカウント値CNTとの積を算出する。加算器３７は、エミッションパルス幅オフセットEM_Offsetに乗算器３６から出力される積を加算してエミッションパルス幅EM_Widthを算出する。
【００３６】
一実施形態では、図７に示す構成のエミッションパルス幅制御回路部１５において、エミッションパルス幅オフセットEM_Offsetと、変更量EM_Stepとが、下記式（１）、（２）に従って算出される。
EM_Offset = EM_Total_Current / EM_Number      （１）
EM_Step = (EM_Total_Next - EM_Total_Current) / (EM_Number)2      （２）
【００３７】
一実施形態では、エミッションパルス幅EM_Widthが、下記式（３）に従って算出される。
EM_Width = EM_Offset + CNT×EM_Step        （３）
一実施形態では、このようにして算出されたエミッションパルス幅EM_Widthを示すエミッションパルス幅指令値がエミッション制御回路部１７に送信され、エミッション制御回路部１７は、エミッションパルス幅EM_Widthに基づいてエミッションパルス信号２２を生成する。
【００３８】
一実施形態では、図８に示すように、フレーム期間＃１における合計エミッションパルス幅が“ｚ”であり、エミッションパルス数EM_Numberが“ｂ”である。一実施形態では、続くフレーム期間＃２において、合計エミッションパルス幅EM_Total_Currentが“ａ”に、エミッションパルス数EM_Numberが“ｄ”に変更され、そしてフレーム期間＃３において、合計エミッションパルス幅EM_Total_Currentが“ｃ”に、エミッションパルス数EM_Numberが“ｆ”に変更される。
【００３９】
一実施形態では、フレーム期間＃２が開始されると、カウンタ３５がリセットされ、現在の合計エミッションパルス幅EM_Total_Currentが“ａ”に設定され、変更後の合計エミッションパルス幅EM_Total_Nextが“ｃ”に設定される。一実施形態では、フレーム期間＃２において、エミッションパルス幅オフセットEM_Offsetがａ／ｄと算出され、変更量EM_Stepが（ｃ−ａ）／ｄ２と算出される。
【００４０】
フレーム期間＃２の最初のエミッションパルスについては、カウント値CNTが０であり、エミッションパルス幅が、ａ／ｄと算出される。フレーム期間＃２の２番目のエミッションパルスについては、カウント値CNTが１であり、エミッションパルス幅EM_Widthが、｛ａｄ＋ｃ−ａ｝／ｄ２と算出される。同様に、フレーム期間＃２の最後から２番目のエミッションパルスについては、カウント値CNTがｄ−２であり、エミッションパルス幅が、｛ａｄ＋（ｄ−２）（ｃ−ａ）｝／ｄ２と算出される。フレーム期間＃２の最後のエミッションパルスについては、カウント値CNTがｄ−１であり、そのエミッションパルス幅が、｛ａｄ＋（ｄ−１）（ｃ−ａ）｝／ｄ２と算出される。
【００４１】
一実施形態では、このような動作により、フレーム期間＃２において、エミッションパルスの数が変更され、更に、エミッションパルス幅が段階的に変更される。
【００４２】
以上には、本開示の様々な実施形態が具体的に記載されているが、本開示に記載された技術は、様々な変更と共に実施され得る。
【符号の説明】
【００４３】
１００    ：表示装置
１        ：自発光表示パネル
２        ：表示ドライバ
３        ：ホスト
４        ：画像データ
５        ：制御データ
６        ：表示エリア
７        ：ＧＩＰ回路部
８        ：表示素子
８ａ      ：発光素子
１０      ：非発光エリア
１１      ：命令制御回路部
１２      ：画像処理回路部
１３      ：ソースドライバ回路部
１４      ：パネルインターフェース回路部
１５      ：エミッションパルス幅制御回路部
１６      ：画像処理後画像データ
１７      ：エミッション制御回路部
２１      ：ＧＩＰ制御信号
２２      ：エミッションパルス信号
２３      ：エミッションクロック信号
３１      ：除算器
３２      ：減算器
３３      ：二乗回路
３４      ：除算器
３５      ：カウンタ
３６      ：乗算器
３７      ：加算器
【図１】
2020144249.tif 000003
【図２】
2020144249.tif 000004
【図３】
2020144249.tif 000005
【図４】
2020144249.tif 000006
【図５】
2020144249.tif 000007
【図６】
2020144249.tif 000008
【図７】
2020144249.tif 000009
【図８】
2020144249.tif 000010